(57)【要約】【課題】布片に印や図形を付す作業を容易に行うことができるパッチワーク用作業用具を提供すること。【解決手段】パッチワーク用の布片６が載置される作業面Ｓを有し、この作業面Ｓに載置した布片６に印または線を付す作業を行うために用いられるパッチワーク用作業用具Ａ１であって、作業面Ｓは、その全面にわたって、載置される布片６のすべりを防止するための凹凸面とされているとともに、作業面Ｓ方向から視認可能な基準線３を備えていることを特徴とする。【選択図】  図３
2009191400.tif 000002
【特許請求の範囲】
【請求項１】
パッチワーク用の布片が載置される作業面を有し、この作業面に載置した布片に印または線を付す作業を行うために用いられるパッチワーク用作業用具であって、
上記作業面は、その全面にわたって、載置される布片のすべりを防止するための凹凸面とされているとともに、
上記作業面方向から視認可能な基準線を備えていることを特徴とする、パッチワーク用作業用具。
【請求項２】
上記作業面は、基材シートの表面に砥粒を付着させることにより、サンドペーパー状の凹凸面とされている、請求項１に記載のパッチワーク用作業用具。
【請求項３】
上記基準線は、上記基材シートの表面に印刷により形成されている、請求項２に記載のパッチワーク用作業用具。
【請求項４】
上記基準線は、上記基材シートを透明または半透明とするとともに、この基材シートの裏面に印刷により形成されている、請求項２に記載のパッチワーク用作業用具。
【請求項５】
上記作業面がシート状の部材の一面に形成された、全体としてシート状を呈している、請求項１ないし４のいずれかに記載のパッチワーク用作業用具。
【請求項６】
上記作業面がボード状部材の一面に形成された、全体としてボード状を呈している、請求項１ないし４に記載のパッチワーク用作業用具。
【請求項７】
上記基準線は、第１の方向に等間隔で平行に延びる複数の直線と、第１の方向と交差する第２の方向に等間隔で平行に延びる複数の直線と、を少なくとも含む、請求項１ないし６のいずれかに記載のパッチワーク用作業用具。
【請求項８】
上記第１の方向と上記第２の方向は直交している、請求項７に記載のパッチワーク用作業用具。
【請求項９】
上記基準線は、上記第１の方向と上記第２の方向とに交差する第３の方向に等間隔で平行に延びる複数の直線をさらに含む、請求項７に記載のパッチワーク用作業用具。
【請求項１０】
上記第１の方向と、上記第２の方向と、上記第３の方向とは、互いに６０度の角度で交差している、請求項９に記載のパッチワーク用作業用具。
【請求項１１】
上記基準線は、上記第１の方向に延びる複数の直線、上記第２の方向に延びる複数の直線、または、上記第３の方向に延びる複数の直線に所定角度で交差する１または複数の直線状補助線を含んでいる、請求項７ないし１０のいずれかに記載のパッチワーク用作業用具。
【発明の詳細な説明】
【技術分野】
【０００１】
本発明は、パッチワークに用いられる布片に、三角形や四角形の線や印を付す作業に用いるためのパッチワーク用作業用具に関する。
【背景技術】
【０００２】
パッチワークは、複数の比較的小さな布片を三角形や四角形の面が繋がって表面に表れるように接ぎ合わせて、一定の大きさの布（パッチワーク布）を作成する手芸の技法の一つである。
【０００３】
このようなパッチワーをク行うにあたっては、端ぎれ布などの布片に、接ぎ合わせたときに表面に表れるべき面の外形線となる三角形や四角形を描くとともに、このような三角形や四角形の所定幅外側を切断した布片を複数用意する。そして、これら布片を、それらの表面に描かれた三角形や四角形の一辺どうしが一致するように合わせ、その辺に沿って縫い合わせてゆくことにより、上記のようなパッチワーク布が作成される。
【０００４】
従来、布片に三角形や四角形を描いたり、印を付したりする作業は、図７に示すようなパッチワーク用作業用具を用いて行うのが普通であった（特許文献１参照）。
【０００５】
この従来のパッチワーク用作業用具９Ａは、ボード状基材９１の表面にサンドペーパー９２を貼り付けた構成を備えている。サンドペーパー９２の表面が、細かな凹凸を持った作業面９Ｓとなっている。そして、この作業面９Ｓに端ぎれ布などの布片９６を載置し、鉛筆などの筆記具と定規とを使ってこの布片９６の表面に三角形や四角形を描いたり、他の図形を描くための印を付したりする。図７に示すパッチワーク用作業用具９Ａにおいてはまた、不使用時に作業面９Ｓを覆っておくために、ボード状基材９１の一側縁に開閉可能に接続された保護シート９４を備えている。
【０００６】
この従来のパッチワーク用作業用具９Ａは、その作業面９Ｓが凹凸状をしているため、この作業面９Ｓに載置した布片９６に上記した三角形や四角形を描くに際して布片９６がずれ動いてしまうという不具合がない。
【０００７】
しかしながら、三角形や四角形を描く場合、あたかも白紙の上に図形を描く場合のような不便さがあった。すなわち、たとえば正三角形を描くような場合、まず、三角形の一辺となるべき線分を描いた後、三角定規などを使ってその線分の両端から６０度の角度を持って延びる２本の直線を描く必要がある。この場合、最初に描く線分の長さはスケールの入った定規を使って規定せねばならないし、この線分に対して６０度の角度をなす２本の直線を描くにしても、すでに描いた線分に三角定規の一辺を正確に合わせつつ行わねばならない。また、正方形や、長方形を描くにしても、同様の面倒さがある。
【０００８】
【特許文献１】実開平５−４４１００公報
【発明の開示】
【発明が解決しようとする課題】
【０００９】
本発明は、上記した事情のもとで考え出されたものであって、布片に印や図形を付す作業を容易に行うことができるパッチワーク用作業用具を提供することをその課題とする。
【課題を解決するための手段】
【００１０】
本発明によって提供されるパッチワーク用作業用具は、パッチワーク用の布片が載置される作業面を有し、この作業面に載置した布片に印または線を付す作業を行うために用いられるパッチワーク用作業用具であって、上記作業面は、その全面にわたって、載置される布片のすべりを防止するための凹凸面とされているとともに、上記作業面方向から視認可能な基準線を備えていることを特徴としている。
【００１１】
このような構成によれば、上記凹凸面により、上記作業面に上記布片が固定された状態を保ちつつ、基準線を利用して定規を上記布片に当てながら、所望の印を付すことや所望の形状を描くことが可能となる。その結果、上記布片に印や図形を付す作業を、容易に行うことができる。
【００１２】
本発明の好ましい実施の形態においては、上記作業面は、基材シートの表面に砥粒を付着させることにより、サンドペーパー状の凹凸面とされている。
【００１３】
本発明の好ましい実施の形態においては、上記基準線は、上記基材シートの表面に印刷により形成されている。
【００１４】
本発明の好ましい実施の形態においては、上記基準線は、上記基材シートを透明または半透明とするとともに、この基材シートの裏面に印刷により形成されている。
【００１５】
本発明の好ましい実施の形態においては、上記作業面がシート状の部材の一面に形成された、全体としてシート状を呈している。
【００１６】
本発明の好ましい実施の形態においては、上記作業面がボード状部材の一面に形成された、全体としてボード状を呈している。
【００１７】
本発明の好ましい実施の形態においては、上記基準線は、第１の方向に等間隔で平行に延びる複数の直線と、第１の方向と交差する第２の方向に等間隔で平行に延びる複数の直線と、を少なくとも含む。
【００１８】
本発明の好ましい実施の形態においては、上記第１の方向と上記第２の方向は直交している。このような構成によれば、上記第一の方向、および、これに直交している上記第二の方向に延びる複数の直線を利用して定規を上記布片に当てながら、互いに平行である線や互いに直交する線を容易に描くことが可能となる。そのため、上記布片に正方形や長方形などを描く作業が容易になる。
【００１９】
本発明の好ましい実施の形態においては、上記基準線は、上記第１の方向と上記第２の方向とに交差する第３の方向に等間隔で平行に延びる複数の直線をさらに含む。
【００２０】
本発明の好ましい実施の形態においては、上記第１の方向と、上記第２の方向と、上記第３の方向とは、互いに６０度の角度で交差している。このような構成によれば、互いに６０度で交差する上記第１ないし上記第３の方向に延びる複数の直線を利用して定規を上記布片に当てながら、互いに平行である線や互いに６０度の角をなす線を容易に描くことが可能となる。そのため、上記布片に正三角形、正六角形または菱形などを描く作業が容易になる。
【００２１】
本発明の好ましい実施の形態においては、上記基準線は、上記第１の方向に延びる複数の直線、上記第２の方向に延びる複数の直線、または、上記第３の方向に延びる複数の直線に所定角度で交差する１または複数の直線状補助線を含んでいる。このような構成によれば、上記直線状補助線を利用することによって、上記第１ないし上記第３の方向に延びる複数の直線を利用して付された線が延びる方向と異なる方向に、印や線を付すことが可能となる。そのため、上記布片に様々な形状の図形を描く作業が容易になる。
【００２２】
本発明のその他の特徴および利点は、添付図面を参照して以下に行う詳細な説明によって、より明らかとなろう。
【発明を実施するための最良の形態】
【００２３】
以下、本発明の好ましい実施の形態につき、図面を参照して具体的に説明する。
【００２４】
図１は、本発明にかかるパッチワーク用作業用具の第１実施形態の要部斜視図を示している。図２は、図１のＩＩ−ＩＩ線に沿う要部断面図を示している。
【００２５】
図１に表れているように、本実施形態のパッチワーク用作業用具Ａ１は、ボード状基材１、このボード状基材１に接続されたパッチワークシート２およびボード状基材１に接続されたカバー体４を有し、このパッチワークシート２に基準線３が形成されている。
【００２６】
図１および図２に表れているように、ボード状基材１は、基材プレート１１および装飾布１２を備えており、略矩形状平板である。装飾布１２は、基材プレート１１を一連に覆っている。
【００２７】
図２に表れているように、パッチワークシート２は、基材シート２１と、凹凸層２２と、を備えており、略矩形の薄板状である。パッチワークシート２は、本実施形態においては、透明または半透明である。基材シート２１は、たとえば透明なポリエステルからなり、表面２１ａおよび裏面２１ｂを有する。表面２１ａは、図中上方において凹凸層２２を積層している。裏面２１ｂは、接着剤などによってボード状基材１に固着されている。
【００２８】
図２に表れているように、凹凸層２２は、バインダー２２１および砥粒２２２を有しており、その上面が作業面Ｓとなっている。バインダー２２１は、砥粒２２２を基材シート２１に接着するために用いられる。また、バインダー２２１は、基材シート２１の全面を覆っている。砥粒２２２は、たとえばアルミナからなり、凹凸層２２に点在している。砥粒２２２の一部は、バインダー２２１から露出している。図２に示すように、露出した砥粒２２２によって、凹凸層２２の表面が凹凸状となっている。したがって、作業面Ｓは、凹凸状をしている。作業面Ｓの上に後述する布片６を載せ置き、これに印や線を付す作業を行う。また、作業面Ｓは、凹凸状となっていることにより、上記作業中、布片６がすべりにくいものとなっている。
【００２９】
パッチワークシート２として、たとえば、表面粗さが好ましくは約８０番から約４００番まで、より好ましくは１２０番から３２０番までの研磨フィルムが用いられる。
【００３０】
基準線３は、基材シート２１の裏面２１ｂに印刷により形成されている。図１に表れているように、基準線３は、複数の直線３１，３２および補助線３ａ，３ｂにより構成されている。複数の直線３１，３２および補助線３ａ，３ｂは、作業面Ｓ方向から視認可能に形成されている。複数の直線３１は、横方向ｘにそれぞれ１ｃｍ間隔で平行に延びている。一方、複数の直線３２は、縦方向ｙにそれぞれ１ｃｍ間隔で平行に延びている。そして、横方向ｘと縦方向ｙとのなす角は、９０度である。そのため、複数の直線３１，３２によって、作業面Ｓ方向から見て格子模様が形成されている。補助線３ａ，３ｂは、それぞれ縦方向ｙと４５度の角をなす方向に延びる直線である。
【００３１】
図１に表れているように、カバー体４は、パッチワーク用作業用具Ａ１の不使用時に作業面Ｓをカバーするためのものである。カバー体４は、比較的軟質な合成樹脂シートにより形成され、作業面Ｓとの接触によって容易に傷が付きにくい。カバー体４は、その側縁部においてボード状基材１に接着されている。布片６に印や線を付す作業をする際には、作業面Ｓを覆っているカバー体４を持ち上げ、作業面Ｓを露出させる。
【００３２】
つぎに、図３および図４を用いて、本実施形態のパッチワーク用作業用具Ａ１の使用方法について説明する。
【００３３】
図３を参照しつつ、布片６に一辺６ｃｍの正方形を描く方法の一例を説明する。まず、複数の直線３１，３２の中から、一辺６ｃｍの正方形を形成する４本の直線を選択する。本実施形態においては、これらの直線として直線３１ａ，３１ｂ，３２ａ，３２ｂを選択する。ここで、直線３１ａおよび３１ｂ、直線３２ａおよび３２ｂはそれぞれ６ｃｍずつ、離間している。格子状のマス目を数えることで、これらの直線を選択できる。
【００３４】
つぎに、線を付す対象となる布片６を作業面Ｓの上にセットする。このとき、布片６が、直線３１ａ，３１ｂ，３２ａ，３２ｂによって囲まれる領域と重なっている必要がある。ただし、直線３１ａ，３１ｂ，３２ａ，３２ｂの両端のうち少なくとも一方は、布片６に覆われていてはならない。
【００３５】
つぎに、定規５の長辺の縁を、直線３１ａの布辺６に覆われていない部分に沿わせる。そして、布片６における、直線３１ａと重なる部分に、鉛筆などの筆記具で直線を描く。つぎに、布片６を作業面Ｓに固定したまま、定規５を直線３１ｂの布辺６に覆われていない部分に合わせる。そして、布片６における、直線３１ｂと重なる部分に、直線を描く。このようにして、布片６に、６ｃｍ間隔の平行な２本の横線を付すことができる。同様に、直線３２ａ，３２ｂを利用して、布片６に６ｃｍ間隔の平行な２本の縦線を付す。これにより、一辺６ｃｍの正方形を描くことができる。
【００３６】
また、これと同様に、長方形を描くことも可能である。なお、定規５は、パッチワーク用のものである必要はない。定規５の代わりに、目盛りがない、一定長さの直線状の縁を有する長方形状平板などを用いてもよい。
【００３７】
このような構成によれば、作業面Ｓにより、作業面Ｓに布片６が固定された状態を保ちつつ、基準線３を利用することで、所望の印を付すことや、所望の形状を描くことが可能となる。その結果、布片６に印や図形を付す作業を、容易に行うことができる。
【００３８】
特に、複数の直線３１，３２を利用することで、互いに平行である線や互いに直交する線を容易に描くことが可能となる。その結果、布片６に正方形や長方形を描く作業を、容易に行うことができる。
【００３９】
また、基準線３により形成された格子状のマス目を数えることで、所望の長さを測ることができる。そのため、三角定規などを用いることなく、目盛りを有さず、かつ、一定長さの直線状の縁を有する長方形状平板などを用いて、所望の形状を描くことが可能となる。この場合、作業面Ｓとの摩擦により目盛り付き定規の目盛りが削り取られてしまうといったこともなくなる。
【００４０】
上述した方法と同様に、布片６に直角三角形を容易に描くこともできる。図４を参照しつつ、布片６に、共通する辺が６ｃｍである直角二等辺三角形を描く方法の一例を説明する。
【００４１】
まず、複数の直線３１，３２および補助線３ａ，３ｂの中から、共通する辺が６ｃｍである直角二等辺三角形を形成する３本の直線を選択する。本実施形態においては、これらの直線として直線３１ａ，３２ａおよび補助線３ａを選択する。そして、布片６を作業面Ｓの上にセットする。このとき、布片６が、直線３１ａ，３２ａおよび補助線３ａによって囲まれる領域と重なっている必要がある。ただし、直線３１ａ，３２ａおよび補助線３ａの両端のうち少なくとも一方は、布片６に覆われていてはならない。
【００４２】
まず、定規５の長辺の縁を、直線３１ａの布辺６に覆われていない部分に沿わせる。そして、布片６における、直線３１ａと重なる部分に、直線を描く。つぎに、布片６を作業面Ｓに固定したまま、定規５を直線３２ａに合わせる。そして、布片６における、直線３２ａと重なる部分に、直線を描く。さらに、布片６を作業面Ｓに固定したまま、定規５を補助線３ａに合わせる。そして、布片６における、補助線３ａと重なる部分に、直線を描く。これにより、共通する辺が６ｃｍである直角二等辺三角形を描くことができる。これと同様に、補助線３ｂを用いても、直角二等辺三角形を描くことが可能である。
【００４３】
このような構成によれば、補助線３ａを利用することによって、複数の直線３１，３２を用いて付された線が延びる方向と異なる方向に、印や線を付すことが可能となる。その結果、布片６に様々な形状の図形を付す作業を、容易に行うことができる。
【００４４】
図５は、本発明にかかるパッチワーク用作業用具の第２実施形態を示している。本実施形態のパッチワーク用作業用具Ａ２は、基準線３の構成が、上述した実施形態と異なっている。なお、同図において、上記実施形態と同一または類似の要素には、上記実施形態と同一の符号を付している。
【００４５】
本実施形態においては、基準線３は、複数の直線３１，３２，３３により構成されている。複数の直線３１，３２，３３は、作業面Ｓ方向から視認可能に形成されている。複数の直線３１，３２，３３は、それぞれ（√３／２）ｃｍ間隔で平行に延びている。複数の直線３１は、横方向ｘと平行に延びている。複数の直線３１，３２，３３の延びる方向は、互いに６０度の角度をなしている。そのため、複数の直線３１，３２，３３によって、作業面Ｓ方向から見て、多数の一辺１ｃｍの正三角形が形成されている。
【００４６】
つぎに、布片６に正三角形を描く方法の一例を説明する。手順は、第１実施形態におけるものとほぼ同様である。まず、所望の大きさの正三角形を形成する直線３１ａ，３２ａ，３３ａを選択する。そして、線を付す対象となる布片６を作業面Ｓの上にセットする。このとき、布片６が、直線３１ａ，３２ａ，３３ａによって囲まれる領域と重なっている必要がある。ただし、直線３１ａ，３２ａ，３３ａの両端のうち少なくとも一方は、布片６に覆われていてはならない。
【００４７】
定規５の長辺の縁を、直線３１ａに沿わせる。そして、布片６における、直線３１ａと重なる部分に、直線を描く。つぎに、布片６を作業面Ｓに固定したまま、定規５を直線３２ａに合わせる。そして、布片６における、直線３２ａと重なる部分に、直線を描く。さらに、布片６を作業面Ｓに固定したまま、定規５を直線３３ａに合わせる。そして、布片６における、直線３３ａと重なる部分に、直線を描く。これにより、正三角形を描くことができる。また、これと同様にして、正六角形や菱形を描くことも可能である。
【００４８】
このような構成によれば、互いに６０度で交差する複数の直線３１，３２，３３を利用することで、互いに平行である線や、互いに６０度の角をなす線を、容易に描くことが可能となる。その結果、布片６に正三角形、正六角形、菱形などを描く作業を、容易に行うことができる。
【００４９】
図６は、本発明にかかるパッチワーク用作業用具の第３実施形態を示している。本実施形態のパッチワーク用作業用具Ａ３は、基準線３の構成が、上述した実施形態と異なっている。なお、同図において、上記実施形態と同一または類似の要素には、上記実施形態と同一の符号を付している。
【００５０】
本実施形態においては、基準線３は、作業面Ｓの図上半分に、第１実施形態において形成されたものと同様の格子模様を形成しており、第１実施形態と同様に補助線を有する。一方、作業面Ｓの図下半分には、第２実施形態において形成されたものと同様の複数の正三角形を形成している。このような実施形態においては、第１実施形態において述べた利点および第２実施形態において述べた利点をともに有する。
【００５１】
本発明にかかるパッチワーク用作業用具は、上述した実施形態に限定されるものではない。本発明にかかるパッチワーク用作業用具の各部の具体的な構成は、種々に設計変更自在である。
【００５２】
基準線３は、パッチワークシート２の裏面に形成されている必要はない。たとえば、基材シート２１と、凹凸層２２との間に形成されていてもよい。基準線３は、ボード状基材１の表面に形成されていてもよい。また、ボード状基材１と、パッチワークシート２との間に、基準線３が描かれた紙が挟まれていてもよい。さらに、基準線３は、作業面Ｓに形成されていてもよい。このとき、パッチワークシート２は、透明または半透明である必要はない。
【００５３】
本発明に係るパッチワーク用作業用具は、パッチワークシート２のみから構成されていてもよい。この場合、パッチワークシート２を、机などの上に置くことによって、上述した実施形態と同様に、布片６に印や線を付すことが可能である。また、このときも、上述した利点と同様の利点を有する。また、パッチワークシート２は、上記実施形態におけるパッチワーク用作業用具に比べ、薄く、軽い。そのため、パッチワーク用作業用具としてパッチワークシート２を販売・使用する際、かさばらず、持ち運びに便利である。
【図面の簡単な説明】
【００５４】
【図１】本発明にかかるパッチワーク用作業用具の第１実施形態の斜視図である。
【図２】図１のＩＩ−ＩＩ線に沿う要部断面図である。
【図３】本実施例におけるパッチワーク用作業用具の使用方法の一例を示した図である。
【図４】本実施例におけるパッチワーク用作業用具の使用方法の一例を示した図である。
【図５】本発明にかかるパッチワーク用作業用具の第２実施形態の平面図を示した図である。
【図６】本発明にかかるパッチワーク用作業用具の第３実施形態の平面図を示した図である。
【図７】従来のパッチワーク用作業用具の一例を示す斜視図である。
【符号の説明】
【００５５】
Ａ１，Ａ２，Ａ３  パッチワーク用作業用具
Ｓ          作業面
１          ボード状基材
１１        基材プレート
１２        装飾布
２          パッチワークシート
２１        基材シート
２１ａ      表面
２１ｂ      裏面
２２        凹凸層
２２１      バインダー
２２２      砥粒
３          基準線
３１，３２，３３  複数の直線
３ａ，３ｂ  補助線
４          カバー体
５          定規
６          布片
ｘ          横方向
ｙ          縦方向
【図１】
2009191400.tif 000003
【図２】
2009191400.tif 000004
【図３】
2009191400.tif 000005
【図４】
2009191400.tif 000006
【図５】
2009191400.tif 000007
【図６】
2009191400.tif 000008
【図７】
2009191400.tif 000009